(57)【特許請求の範囲】
【請求項１】
ベース部材と、前記ベース部材の上に配置された基板と、前記基板の上に第１方向に順に配置された第１発光素子、第２発光素子及び第３発光素子と、前記第１発光素子、前記第２発光素子及び前記第３発光素子の上に配置された透光部材と、を有する発光装置であって、
発光面側から見て、
前記基板の上には、前記第１発光素子と前記第２発光素子との間に配置され前記第１方向と垂直をなす第２方向における一方の側で配線と接続可能な第１配線接続部と、前記第２発光素子と前記第３発光素子との間に配置され前記一方の側で配線と接続可能な第２配線接続部と、が設けられており、
前記ベース部材又は前記透光部材は、前記第１配線接続部よりも前記第１発光素子側に設けられ前記第１方向に延在する配線を前記一方の側で固定可能な第１配線固定部と、前記第１配線接続部と前記第２配線接続部との間に設けられ前記第１方向に延在する配線を前記一方の側で固定可能な第２配線固定部と、前記第２配線接続部よりも前記第３発光素子側に設けられ前記第１方向に延在する配線を前記一方の側で固定可能な第３配線固定部と、を有することを特徴とする発光装置。
【請求項２】
前記ベース部材又は前記透光部材は、前記第１方向における両端部に設けられ前記第２方向に延在する配線を固定可能な第４配線固定部を有することを特徴とする請求項１に記載の発光装置。
【請求項３】
発光面側から見て、
前記第１配線接続部は、前記第１発光素子及び前記第２発光素子のそれぞれから略等距離の位置に設けられており、
前記第２配線接続部は、前記第２発光素子及び前記第３発光素子のそれぞれから略等距離の位置に設けられていることを特徴とする請求項１又は２に記載の発光装置。
【請求項４】
発光面側から見て、
前記第１配線固定部は、前記第１発光素子を通り前記第２方向に伸びる直線上に位置し、
前記第２配線固定部は、前記第２発光素子を通り前記第２方向に伸びる直線から離れて位置し、
前記第３配線固定部は、前記第３発光素子を通り前記第２方向に伸びる直線上に位置していることを特徴とする請求項１〜３のいずれかに記載の発光装置。
【請求項５】
発光面側から見て、
前記第２配線固定部は、前記第２発光素子を通り前記第２方向に伸びる直線を挟んだ両側に設けられていることを特徴とする請求項４に記載の発光装置。
【請求項６】
前記透光部材は、前記第１発光素子に対応する位置に設けられ前記第１発光素子からの光を横方向に制御する第１レンズ部と、前記第２発光素子に対応する位置に設けられ前記第２発光素子からの光を横方向に制御する第２レンズ部と、前記第３発光素子に対応する位置に設けられ前記第３発光素子からの光を横方向に制御する第３レンズ部と、を有することを特徴とする請求項１〜５のいずれかに記載の発光装置。
【請求項７】
前記透光部材は、前記第１発光素子、前記第２発光素子及び前記第３発光素子の上に位置する本体部と、前記本体部から部分的に前記一方の側に延伸した前記第１配線固定部、前記第２配線固定部及び前記第３配線固定部と、前記本体部の上に設けられた前記第１レンズ部、前記第２レンズ部及び前記第３レンズ部と、を有し、
側面視において、
前記第１レンズ部、前記第２レンズ部及び前記第３レンズ部のそれぞれは、前記本体部の上面から突出しており、
前記第１配線固定部、前記第２配線固定部及び前記第３配線固定部のそれぞれの上面は、前記本体部の上面よりも下方に位置していることを特徴とする請求項１〜６のいずれかに記載の発光装置。
【発明の詳細な説明】
【技術分野】
【０００１】
本発明は、発光素子を有する発光装置に関する。
【背景技術】
【０００２】
従来、発光素子としてＬＥＤを用いた発光装置が検討されている（例えば、特許文献１及  
【０００３】
び特許文献２）。
【先行技術文献】
【特許文献】
【０００４】
【特許文献１】特開２００６−５８８２８公報
【０００５】
【特許文献２】特開２００２−２４４５９９公報
【発明の概要】
【発明が解決しようとする課題】
【０００６】
しかしながら、従来の発光装置は、構成が複雑であり、簡単な構成で十分な配光特性と防水機能を両立させることが難しいという問題があった。
【課題を解決するための手段】
【０００７】
一実施形態に係る発光装置は、ベース部材と、ベース部材の上に配置された基板と、基板の上に第１方向に順に配置された第１発光素子、第２発光素子及び第３発光素子と、第１発光素子、第２発光素子及び第３発光素子の上に配置された透光部材と、を有する。発光面側から見て、基板の上には、第１発光素子と第２発光素子との間に配置され第１方向と垂直をなす第２方向における一方の側で配線と接続可能な第１配線接続部と、第２発光素子と第３発光素子との間に配置され当該一方の側で配線と接続可能な第２配線接続部と、が設けられている。ベース部材又は透光部材は、第１配線接続部よりも第１発光素子側に設けられ第１方向に延在する配線を当該一方の側で固定可能な第１配線固定部と、第１配線接続部と第２配線接続部との間に設けられ第１方向に延在する配線を当該一方の側で固定可能な第２配線固定部と、第２配線接続部よりも第３発光素子側に設けられ第１方向に延在する配線を当該一方の側で固定可能な第３配線固定部と、を有する。
【図面の簡単な説明】
【０００８】
【図１】図１は、一実施形態に係る発光装置の斜視図である。
【図２】図２は、一実施形態に係る発光装置の分解図である。
【図３】図３は、一実施形態に係る発光装置の平面図及び側面図である。
【図４】図４は、一実施形態に係る発光装置の使用状態を説明するための図である。
【発明を実施するための形態】
【０００９】
以下に、本願発明を実施するための形態を、図面を参照しながら説明する。ただし、以下に示す形態は、本願発明の技術思想を具体化するための発光装置を例示するものであって、本願発明を以下に限定するものではない。また、実施の形態に記載されている構成部品の寸法、材質、形状、その相対的配置等は、特定的な記載がない限り、本願発明の範囲をそれのみに限定する趣旨ではなく、単なる例示にすぎない。なお、各図面が示す部材の大きさや位置関係等は、説明を明確にするために誇張していることがある。
【００１０】
図１は発光装置の斜視図であり、図２は発光装置の構成を説明するための分解図である。図３（ａ）は発光装置を発光面側から見た平面図であり、図３（ｂ）及び（ｃ）は発光装置の側面図である。図４は発光装置の使用状態を説明するためのものである。
【００１１】
発光装置は、ベース部材１と、ベース部材１の上に配置された基板２と、基板２の上に第１方向（図３（ａ）における上方向）に順に配置された第１発光素子３−１、第２発光素子３−２及び第３発光素子３−３と、第１発光素子３−１、第２発光素子３−２及び第３発光素子３−３の上に配置された透光部材７と、を有する。発光装置を発光面側から見ると、基板２の上には、第１発光素子３−１と第２発光素子３−２との間に配置され第１方向と垂直をなす第２方向における一方の側（図３（ａ）における左側）で配線と接続可能な第１配線接続部４−１と、第２発光素子３−２と第３発光素子３−３との間に配置され当該一方の側で配線と接続可能な第２配線接続部４−２と、が設けられている。さらに、透光部材７は、第１配線接続部４−１よりも第１発光素子３−１側に設けられ第１方向に延在する配線を当該一方の側で固定可能な第１配線固定部７ｄ−１と、第１配線接続部４−１と第２配線接続部４−２との間に設けられ第１方向に延在する配線を当該一方の側で固定可能な第２配線固定部７ｄ−２と、第２配線接続部４−２よりも第３発光素子３−３側に設けられ第１方向に延在する配線を当該一方の側で固定可能な第３配線固定部７ｄ−３と、を有する。
【００１２】
これにより、比較的簡単な構成であるにもかかわらず、配線による配光特性への悪影響を抑制しつつ防水機能を有する発光装置とすることができる。以下、詳細に説明する。
【００１３】
先ず、図４（ａ）に基づいて、発光装置を縦に配置し縦方向に配線する場合について説明する。
【００１４】
各発光装置において、第１配線接続部４−１に接続される配線８は、第１配線固定部７ｄ−１により固定されている。これにより、第１発光素子３−１からの光が配線８に遮られることを抑制することができる。一方、各発光装置の第２配線接続部４−２に接続される配線８は、第３配線固定部７ｄ−３及び第２配線固定部７ｄ−２により固定されている。第３配線固定部７ｄ−３により配線８を固定することにより、第３発光素子３−３からの光が配線８に遮られることを抑制することができる。さらに、配線接続部４（第１配線接続部４−１及び第２配線接続部４−２）は、配線固定部７ｄ（第１配線固定部７ｄ−１、第２配線固定部７ｄ−２及び第３配線固定部７ｄ−３）と同じ側（図４（ａ）の左側）で配線８と接続されるので、第１配線固定部７ｄ−１と第３配線固定部７ｄ−３との間において配線８が発光装置上を横切ることがなく、各発光素子３からの光が配線に遮られることがない。したがって配光特性の優れた発光装置とすることができる。
【００１５】
さらに、第３配線固定部７ｄ−３で固定される上側の配線８は、第３配線固定部７ｄ−３を介して第２配線接続部４−２に直接接続されるのではなく、第２配線固定部７ｄ−２を介して第２配線接続部４−２に接続されうる。これにより、第２配線接続部４―２に接続される配線は図４（ａ）の上側からではなく下側から接続されることになるので、水滴が配線８を伝って第２配線接続部４−２に到達することを防ぐことができる。
【００１６】
図４（ａ）では、各発光装置を第１方向が縦になるように一列で配置すると共に各発光装置間を縦方向に配線する場合について説明した。別の使用形態として、各発光装置を縦に複数列で配置し、各列の同じ行に位置する各発光装置間を横方向に配線することもできる。この場合であっても個々の発光装置における配線パターンは図４（ａ）と同様に行うことができる。
【００１７】
次に、図４（ｂ）に基づいて、発光装置を横に配置し縦方向に配線する場合について説明する。
【００１８】
上側の発光装置において、第１配線接続部４−１に接続される配線８は、第１配線固定部７ｄ−１により固定されている。これにより、第１発光素子３−１からの光が配線８に遮られることを抑制することができる。一方、下側の発光装置においては、第２配線接続部４−２に接続される配線８は、第３配線固定部７ｄ−３により固定されている。これにより、第３発光素子３−３からの光が配線８に遮られることを抑制できる。さらに、配線接続部４は、配線固定部７ｄと同じ側で配線と接続されるので、第１配線固定部７ｄ−１と第３配線固定部７ｄ−３との間において配線８が発光装置上を横切ることがなく、各発光素子３からの光が配線８に遮られることがない。したがって、配光特性に優れた発光装置とすることができる。
【００１９】
さらに、各配線接続部４は同じ側で配線８と接続されている。したがって、配線８と接続される側を下側とすることにより、水滴が配線８を伝って配線接続部４に到達することを抑制することができる。
【００２０】
ここで、発光装置を横に配置する場合は、第２の配線固定部７ｄ−２は使用されない。さらに、図４（ｂ）に示すように、上側の発光装置において第３配線固定部７ｄ−３は使用されていないが、第３配線固定部７ｄ−３で配線８を固定することもできる。同様に、下側の発光装置において、第１配線固定部７ｄ−１は使用されていないが、第１配線固定部７ｄ−１で配線８を固定することもできる。
【００２１】
図４（ｂ）では、各発光装置を第１方向が横になるように一列で配置すると共に各発光装置間を縦方向に配線する場合について説明した。別の使用形態として、各発光装置を横に複数列で配置し、各列の同じ行に位置する各発光装置間を横方向に配線することもできる。この場合であっても個々の発光装置における配線パターンは図４（ｂ）と同様に行うことができる。
【００２２】
このように本実施形態の発光装置によれば、使用形態（縦配置又は横配置）にかかわらず、配光特性に優れ且つ防水機能を有する発光装置とすることができる。
【００２３】
以下、本実施形態の発光装置における主な構成要素について説明する。
【００２４】
（ベース部材１）
図１〜３に示すように、発光装置を発光面側から見ると、ベース部材１は長手方向に延伸した形状をしている。ここでは、第１方向が長手方向に相当し、第２方向が短手方向に相当する。図３（ｃ）に、発光装置を第１方向のうち一方の側（図３（ａ）の下側）から見た側面図を示す。図２及び図３（ｃ）に示すように、ベース部材１は上部平坦部１Ａと下部平坦部１Ｂとを有し、両者が互いに連続して形成されている。より詳細には、上部平坦部１Ａを挟むように下部平坦部１Ｂが両側に設けられており、それぞれが第１方向に延伸している。
【００２５】
ベース部材１の材料は限定されないが、放熱性等を考慮して、例えばアルミニウム（Ａｌ）、鋼（ＳＰＣＣ、ＳＵＳ等）、を含む金属材料とすることができる。これにより、基板２を介して発光素子３からの熱を効果的に放熱することができる。
【００２６】
ベース部材１の上部平坦部１Ａには、基板２を位置決めするための突起部１ｄが設けられている。ここでは、第１方向の両端部に一対の突起部１ｄが設けられている。
【００２７】
ベース部材１の上部平坦部１Ａには、透光部材７を装着するための装着部１ｂが設けられている。ここでは、装着部１ｂは透光部材７を装着可能な開口部から構成され、主に発光素子３の周囲近傍に複数設けられている。発光素子３の近傍に装着部１ｂを設けることにより、発光素子３と透光部材７との位置関係を一定に保つことができるので、安定した光学特性が得られる。
【００２８】
ベース部材１の下部平坦部１Ｂには、第１方向における略中央で第２方向における両端部に、発光装置を土台に固定するための固定部１ａが設けられている。ここでは、固定部１ａは、ビスにより固定が可能な開口部１ａ−１及び切欠き部１ａ−２から構成される。
【００２９】
ベース部材１は、第１方向における両端部に設けられ発光装置の一辺（短辺）に沿って第２方向に延在する配線８を固定するための第４配線固定部１ｃを有することができる。これにより、発光装置を横配置した場合であっても、第１配線固定部７ｄ-１及び第３配線固定部７ｄ−３の外側において透光部材７の上に配線８が横切ることがないので、発光素子３からの光が配線８で遮られることがない（図４（ｂ）参照）。第４配線固定部１ｃは、ベース部材１の一部が背面側（土台側）に曲げられており、その内側で配線８を固定することができる。なお、ベース部材１ではなく、透光部材１に第４配線固定部を設けることも可能である。
【００３０】
（基板２）
基板２は、ベース部材１に対応した形状（より詳細にはベース部材１の上部平坦部１Ａに対応した形状）をしており、ここでは、ベース部材と同様に第１方向に延伸した形状をしている。基板２としては、多層構造で層間に所定の導電パターンが施された所謂プリント基板を用いることができる。プリント基板は汎用性が高く、複雑な導電パターンを比較的容易に施すことができる。
【００３１】
基板２には、ベース部材１の装着部１ｂに対応して切欠き部２ｂが設けられている。これにより、装着部１ｂを第２方向においてより近接させることができるので、より幅の狭い小型の発光装置とすることができる。
【００３２】
基板２には、突起部１ｄに対応して開口部２ｄが設けられている。これにより、ベース部材７と基板２との位置決めを容易に行うことができる。
【００３３】
基板２には、透光部材７の突起部（図示せず）に対応して開口部２ｅが設けられている。これにより、基板２と透光部材７との位置決めを容易に行うことができる。ここでは、開口部２ｅを発光素子３の近傍に設けている。これにより、発光素子３と透光部材７との位置関係を一定に保つことができるので、光学特性にばらつきのない発光装置とすることができる。
【００３４】
なお、例えば基板２の裏側（背面側）に電子部品を設けたり、基板の表側（発光面側）から電子部品を貫通実装したりすることもできる。この場合、その電子部品や貫通部分が邪魔にならないように、ベース部材１に部分的に開口部を設けることもできる。
【００３５】
（発光素子３）
発光素子３（第１発光素子３−１、第２発光素子３−２及び第３発光素子３−３）として、例えばＬＥＤを用いることができる。ＬＥＤとしては貫通実装型と表面実装型があるが、ここでは表面実装型のＬＥＤを用いている。また、白色発光の発光素子３とすれば、照明として適応範囲が広くなるので好ましい。
【００３６】
第１発光素子３−１、第２発光素子３−２及び第３発光素子３−３は、基板２の上に第１方向（図３（ａ）における上方向）に順に配置されている。ここでは、発光素子３が第１方向に一直線に配置されているが、発光素子３は第１方向に順に配置されていれば良く、各発光素子が一直線に配置されることは必ずしも必要ない。例えば、図３（ａ）において第２発光素子３−２を左右方向にずらすこともできる。図２から明らかなように、図１及び図３では、レンズ部７ｄ−１の背面側に発光素子３−１が、レンズ部７ｄ−２の背面側に発光素子３−２が、レンズ部７ｄ−３の背面側に発光素子３−３が、配置されている。
【００３７】
ここでは、第１方向に発光素子３が３つ順に配置された構成としている。しかし、発光素子の数は３以上あればよく、必ずしも３つに限定されない。例えば、発光素子が第１方向に５つ順に配置されている場合は、第１方向の一端部に配置された１つの発光素子を第１発光素子、第１方向の他端部に配置された２つの発光素子を第２発光素子及び第３発光素子とすればよい。
【００３８】
さらに、ここでは発光素子３が第１方向に一列に配置された構成としている。しかし、発光素子は必ずしも一列に配置される必要はなく複数列で配置することもできる。例えば、図３（ａ）における発光装置の左右の幅を大きくし、縦（第１方向）に３つ且つ横（第２方向）に３つの計９個の発光素子が配置された発光装置とすることもできる。この場合、発光装置は長手方向に延伸した形状ではなく、例えば略正方形とすることもできる。また、発光素子が複数列にわたる場合は、配線固定部７ｄが設けられている側の端の一列の発光素子を第１発光素子、第２発光素子及び第３発光素子とすればよい。
【００３９】
（配線接続部４）
配線接続部４は、第１配線接続部４−１と第２配線接続部４−２とからなる。第１配線接続部４−１と第２配線接続部４−２は、一方が電源を入力するためのものであり、他方が電源を出力するためのものである。例えば図４（ｂ）においては、上段の発光装置では第１配線接続部４−１が電源入力側であり、第２配線接続部４−２が電源出力側となっている。一方、下段の発光装置では、第２配線接続部４−２が電源入力側であり、第１配線接続部４−１が電源出力側となっている。このように、どちらを入力側又は出力側とするかは任意に設定することができる。
【００４０】
図３に示すように、ここでは、第１配線接続部４−１は第２方向における一方の側（図３（ａ）及び（ｃ）の左側、図３（ｂ）の手前側）に開口した第１配線接続口４ａ−１を有し、第２配線接続部４−２も同じ側に開口した第２配線接続口４ａ−２を有する。各配線接続口４ａ（第１配線接続口４ａ−１及び第２配線接続口４ａ−２）は第２方向における一方の側（図３では左側）に開口しているので、同じ側で配線と接続することができる。図１〜３に示すように、配線接続口４ａは発光装置の表面に露出されていることが好ましい。これにより、発光装置を土台に固定した後であっても配線作業を繰り返し行うことができるので、取り扱い性に優れた発光装置とすることができる。
【００４１】
図１〜３に示すように、発光面側から見て、第１配線接続部４−１は第１発光素子３−１及び第２発光素子３−２のそれぞれから略等距離の位置に設けられており、第２配線接続部４−２は第２発光素子３−２及び第３発光素子３−３のそれぞれから略等距離の位置に設けることができる。これにより、各発光素子３から配線接続部４までの距離を大きくすることができるので、発光素子からの光を配線接続部４で遮ることによる配光特性への悪影響を抑制することができる。
【００４２】
さらに、第１配線接続部４−１は第１発光素子３−１と第２発光素子３−２との間に設けられ、第２配線接続部４−２は第２発光素子３−２と第３発光素子３−３との間に設けられる。各配線接続部４を、第１方向における発光素子３の外側でなく内側に設けることにより、発光装置全体としての小型化が可能となる。
【００４３】
（駆動素子５）
基板２には、各発光素子３を駆動するための駆動素子５が設けられている。発光素子３の駆動方法は限定されないが、例えば定電流でパルス駆動することができる。
【００４４】
（防水部材６）
図２に示すように、基板２と透光部材７との間においては、各発光素子３及び駆動素子５の周囲に防水部材６を設けることができる。これにより、水による各電子部品の短絡を防ぐことができる。ここでは、第１発光素子３−１に第１防水部材６−１、第２発光素子３−２に第２防水部材６−２、第３発光素子３−３に第３防水部材６−３、駆動素子５に第４防水部材６−４を設けている。
【００４５】
（透光部材７）
透光部材７は、ベース部材１に対応した形状（より詳細にはベース部材１の上部平坦部１Ａに対応した形状）をしており、ここではベース部材と同様に第１方向に延伸した形状をしている。
【００４６】
透光部材７の材料は限定されないが、透光性や加工性を考慮して例えばポリカーボネート（ＰＣ）、ポリメチルメタクリレート（ＰＭＭＡ）からなる樹脂材料とすることができる。透光部材７には、発光素子３からの光をより均一に拡散させるために、シリカ等の光拡散材を含有させたり、表面にシボ加工を施したりすることができる。なお本明細書において、「透光部材」は必ずしも発光素子３からの光を完全に透過する必要はなく、少なくともその一部を透過できればよいものとする。
【００４７】
透光部材７には、ベース部材１の開口部１ｂに対応して突起部７ｂが設けられている。両者を嵌合させることにより、組立作業を容易に行うことができる。
【００４８】
各図に示すように、透光部材７は、第１発光素子３−１に対応する位置に設けられ第１発光素子３−１からの光を横方向に制御する第１レンズ部７ｃ−１と、第２発光素子３−２に対応する位置に設けられ第２発光素子３−２からの光を横方向に制御する第２レンズ部７ｃ−２と、第３発光素子３−３に対応する位置に設けられ第３発光素子３−３からの光を横方向に制御する第３レンズ部７ｃ−３と、を有することができる。これにより、発光面側から発光装置を見た際に発光素子３の周辺のみが強く発光することを抑制することができる。
【００４９】
レンズ部７ｃ（第１レンズ部７ｃ−１、第２レンズ部７ｃ−２及び第３レンズ部７ｃ−３）を設けることにより、発光素子３からの光はより横方向に分散されるが、このとき光の通り道に配線８があれば発光装置としての配光特性が損なわれてしまう。したがって、本実施形態の発光装置は、レンズ部７を有する場合に特に有効である。
【００５０】
レンズ部７ｃの形状は限定されないが、例えば図１〜３に示すようにドーム形状の下段部と円柱形状の上段部から構成することができる。円柱形状の上段部は発光面側から見て中央が窪んでおり（図示せず）、これにより効果的に横方向の配光を得ることができる。発光素子３からの光を効率的に取り出すためには、発光素子３とレンズ７ｃとをできるだけ近くで配置させることが好ましい。
【００５１】
透光部材７には、発光装置の一辺（長辺）に沿って第１方向に延在する配線を固定するための配線固定部７ｄ（第１配線固定部７ｄ−１、第２配線固定部７ｄ−２及び第３配線固定部７ｄ−３）が設けられている。
【００５２】
より詳細には、透光部材７は、発光素子３の上に位置する本体部７ａと、本体部７ａから配線接続口４ａが設けられている側（図３（ａ）では左側）と同じ側に延伸し且つその先端が背面側（土台側）に湾曲した配線固定部７ｄと、本体部７の上に設けられたレンズ部７ｃと、を有する（図１〜５参照）。ここで、図３（ｂ）及び（ｃ）に示すように、側面視において、レンズ部７ｃのそれぞれは、本体部７ａの上面から突出しており、配線固定部７ｄのそれぞれの上面は本体部７ａの上面よりも下方に位置していることが好ましい。これにより、レンズ部７ｃからの光が配線固定部７ｄで遮られることがないので、配光特性に優れた発光装置とすることができる。
【００５３】
図３（ａ）に示すように、第１配線固定部７ｄ−１は第１発光素子３−１を通り第２方向（図３（ａ）の横方向）に伸びる直線上に位置し、第２配線固定部７ｄ−２は第２発光素子３−２を通り第２方向に伸びる直線から離れて位置し、第３配線固定部７ｄ−３は第３発光素子３−３を通り第２方向に伸びる直線上に位置していることが好ましい。縦置き時（図４（ａ）参照）及び横置き時（図４（ｂ）参照）において、第１発光素子３−１の近傍（図４（ａ）では左真横、図４（ｂ）では真下）に配線８を通す必要があるが、第１配線固定部７ｄ−１を第１発光素子３−１の近傍（図４（ａ）では左真横、図４（ｂ）では真下）に設けることにより、第１発光素子３−１からの光が配線により遮られることを確実に防止することができる。第３発光素子３−３と第３配線固定部７ｄ−３との関係についても同様である。一方、縦置き時（図４（ａ）参照）及び横置き時（図４（ｂ）参照）において、第２発光素子３−２の近傍（図４（ａ）では左真横、図４（ｂ）では真下）に配線８を通す必要はないので、第２配線固定部７ｄ−２については第２発光素子３−２の近傍（図４（ａ）では左真横、図４（ｂ）では真下）から離すことにより、第２発光素子３−２からの光が配線により遮られることを抑制することができる。
【００５４】
ここでは、第２配線固定部７ｄ−２を一箇所に設けているが、複数個所に設けることもできる。例えば、発光面側からみて、第２配線固定部７ｄ−２を、第２発光素子３−２を通り第２方向に伸びる直線を挟んだ両側の２箇所に設けることもできる。具体的には、図３（ａ）において、第２発光素子３−２の上側と下側の両側に第２配線固定部７ｄ−２を設けることができる。図４（ａ）では、配線固定部７ｄが左側となるように発光装置を縦に配置することで、第２配線固定部７ｄ−２を第２発光素子３−２の上側に位置させている。これにより、上側からの配線が第２発光素子３−２の横を通ることがないので、配線による配光の悪影響はない。しかし、配線固定部７ｄが右側となるように発光装置を縦に配置すれば（図４（ａ）の発光装置を１８０度回転させた配置）、第２配線固定部７ｄ−２が第２発光素子３−２の下側となってしまう。これでは、上側からの配線が第２発光素子３−２の横を通ることになるので、配線による配光の悪影響が生じうる。そこで、第２配線固定部７ｄ−２を第２発光素子３−２の両側（例えば図３（ａ）の第２発光素子の上側と下側）に設けることにより、縦置き時において、第１方向のどちらを上側にして発光装置を配置させても、配線が第２発光素子３−２よりも下方にくることがないので、配線による配光への悪影響を抑制することができる。
【００５５】
さらに、ここでは透光部材７が配線固定部７ｄ−１、７ｄ−２及び７ｄ−３を備える構成としたが、ベース部材１が配線固定部７ｄ−１、７ｄ−２及び７ｄ−３の一部又は全部を備えることもできる。例えば、ベース部材１の下部平坦部１Ｂの一部を背面側から打ち抜き、その打ち抜き部を所定の形状として配線固定部とすることができる。
【００５６】
図１〜３に示すように、透光部材７には、基板２に載置された駆動素子５を収納するための収納部７ｆを設けることができる。収納部７ｆはその内側（透光部材７の裏側）に空間領域があり、その空間領域で駆動素子５を収納することができる。図３（ｂ）及び（ｃ）に示すように、収納部７ｆの上面はレンズ部７ｃの上面よりも下方に位置させることが好ましい。これにより、レンズ部７ｃから出射された光が収納部７ｆで遮られることによる配光特性の悪化を低減させることができる。さらに、収納部７ｆは配光特性に影響を与えにくいように発光素子３（レンズ部７ｃ）から所定の距離で離して位置させることが好ましい。
【００５７】
図２に示すように、透光部材７は、第１配線接続部４−１を発光面側に露出させるための第１切欠き部７ｅ−１と、第２配線接続部４−２を発光面側に露出させるための第２切欠き部７ｅ−２と、を有することができる。これにより、各配線接続口４ａを透光部材７から露出させることができるので、発光装置を土台に固定した後であっても、配線作業を繰り返し行うことができ取り扱い性の優れた発光装置とすることができる。切欠き部の代わりに開口部を採用することができることは言うまでもない。
【００５８】
発光装置を構成する各要素において、一の部材を複数の部材で構成してもよい。例えば、ここでは１つの部材である透光部材７が３つのレンズ部７ｃを含む構成としたが、それぞれのレンズ部７ｃを個々に含むように透光部材７を３つの部材で構成することもできる。
【００５９】
本実施形態の発光装置を複数並べて配置させることにより（図４参照）、例えば看板内の照明として利用することができる。
【産業上の利用可能性】
【００６０】
本発明に係る発光装置は、主に照明用光源として使用することができる。
【符号の説明】
【００６１】
１・・・ベース部材
２・・・基板
３−１・・・第１発光素子
３−２・・・第２発光素子
３−３・・・第３発光素子
４−１・・・第１配線接続部
４−２・・・第２配線接続部
５・・・駆動素子
６・・・防水部材
７・・・透光部材
７ｃ−１・・・第１レンズ部
７ｃ−２・・・第２レンズ部
７ｃ−３・・・第３レンズ部
７ｄ−１・・・第１配線固定部
７ｄ−２・・・第２配線固定部
７ｄ−３・・・第３配線固定部
８・・・配線
【図１】
0005459140.tif 000002
【図２】
0005459140.tif 000003
【図３】
0005459140.tif 000004
【図４】
0005459140.tif 000005